(57)【要約】【課題】本発明は遊技盤の盤面側から図柄表示装置の表示面への電磁ノイズの侵入空間経路をなくし、図柄表示装置の破壊を防止できるセンター部品を提供することを目的とする。【解決手段】図柄表示装置１００の表示面１０１に対向する透過性パネル４がセンター部品本体（飾り部５）に取付けられた遊技機のセンター部品３において、センター部品本体（飾り部５）と透過性パネル４との間に生じる隙間が導電性材料（導電性接着剤６）で封止されたものとした。【選択図】        図１
2004201761.tif 000002
【特許請求の範囲】
【請求項１】
図柄表示装置の表示面に対向する透過性パネルがセンター部品本体に取付けられた遊技機のセンター部品において、センター部品本体と透過性パネルとの間に生じる隙間が導電性材料で封止されたことを特徴とする遊技機のセンター部品。
【請求項２】
透過性パネルが図柄表示装置のケーシングの表示面側外周囲に対して外方全方位に延長する張り出し部分を備えたことを特徴とする請求項１に記載の遊技機のセンター部品。
【請求項３】
透過性パネルが図柄表示装置のケーシングの表示面側外周囲を覆う筒状の延設部を備えたことを特徴とする請求項１又は請求項２に記載の遊技機のセンター部品。
【発明の詳細な説明】
【０００１】
【発明の属する技術分野】
本発明は、遊技機の遊技盤に取付けられるセンター部品に関する。
【０００２】
【従来の技術】
遊技盤の後面に導電性塗料を塗布することに基いて導電層を形成し、遊技盤の後面を沿って落下する球の静電気による電磁ノイズの発生を抑止することが知られている（例えば、特許文献１参照）。
通常、遊技盤の裏側には図柄表示装置が設けられ、遊技盤の遊技領域の中央にはセンター部品が取付けられる。このセンター部品は図柄表示装置の表示面に対向する透過性パネルが止めねじ等でセンター部品本体（飾り部）に取付けられて成る。
【０００３】
【特許文献１】
特開２００２−３３６４４４号公報
【０００４】
【発明が解決しようとする課題】
センター部品は例えば合成樹脂成形品である透過性パネルが止めねじ等で合成樹脂成形品であるセンター部品本体に取付けられて成るので、透過性パネルとセンター部品本体との間に隙間が生じてしまい、例えば遊技盤面の遊技領域を通過する球の静電気による電磁ノイズや遊技者側からの電磁ノイズ等が上記隙間を介して図柄表示装置の表示面に到達し、液晶表示パネル等が破壊されてしまうという課題がある。特許文献１では遊技盤面の遊技領域を通過する球の静電気による電磁ノイズや遊技者側からの電磁ノイズ等の対策が施されていないので、上述した課題を解消できない。
本発明は遊技盤の盤面側から図柄表示装置の表示面への電磁ノイズの侵入空間経路をなくし、図柄表示装置の破壊を防止できるセンター部品を提供することを目的とする。
【０００５】
【課題を解決するための手段】
本発明では、図柄表示装置の表示面に対向する透過性パネルがセンター部品本体に取付けられた遊技機のセンター部品において、センター部品本体と透過性パネルとの間に生じる隙間が導電性材料で封止されたものとしたので、遊技盤の盤面側から図柄表示装置の表示面への電磁ノイズの侵入空間経路をなくすことができ、図柄表示装置の破壊を防止できるようになる。
また、透過性パネルが図柄表示装置のケーシングの表示面側外周囲に対して外方全方位に延長する張り出し部分を備えたものとしたので、仮に封止が不完全で一部に隙間が生じていてこの隙間から電磁ノイズが遊技盤の裏側に漏れたとしても、透過性パネルと飾り部との隙間から図柄表示装置の表示面までの距離が張り出し部分により長くなるので、電磁ノイズが図柄表示装置の表示面に到達する可能性を少なくでき、電磁ノイズにより図柄表示装置が破壊される可能性を少なくできる。
また、透過性パネルが図柄表示装置のケーシングの表示面側外周囲を覆う筒状の延設部を備えたものとしたので、仮に封止が不完全で一部に隙間が生じていてこの隙間から電磁ノイズが遊技盤の裏側に漏れたとしても、透過性パネルと飾り部との隙間から図柄表示装置の表示面までの距離が延設部により長くなるので、電磁ノイズが図柄表示装置の表示面に到達する可能性を少なくでき、電磁ノイズにより図柄表示装置が破壊される可能性を少なくできる。
【０００６】
【発明の実施の形態】
実施形態１
以下、実施形態１によるパチンコ機を図により説明する。図１は実施形態１のパチンコ機の遊技盤に取付けられるセンター部品の近傍の縦断面図、図２は図１のＡ方向から見た図柄表示装置とセンター部品の透過性パネルとの関係を示す図である。
遊技盤１の盤面１ａにおける遊技領域２の中央にはセンター部品３が取付けられている。センター部品３は図柄表示装置１００の表示面１０１に対向する透過性パネル４とセンター部品本体である飾り部５とにより構成される。図柄表示装置１００は止めねじ２０１等で部品取付体２００に取付けられる。尚、図柄表示装置１００と部品取付体２００との間の空間においては球は通過しない。センター部品３は遊技盤１の中央に形成された取付孔５０に透過性パネル４側が挿入され、取付フランジ５４を介して止めねじ５３等で遊技盤１の遊技領域２における盤面１ａに取付けられる。
実施形態１では、飾り部５の開口後端部５１と透過性パネル４の前面４１とを突き合わせた状態で開口後端部５１の外周囲５２と透過性パネル４の前面４１とを導電性接着剤６で接着し、これにより、透過性パネル４と飾り部５との隙間が導電性接着剤６で封止された状態で透過性パネル４が飾り部５に取付けられる。よって、遊技盤１の盤面１ａ側（遊技領域側）から図柄表示装置１００の表示面１０１への電磁ノイズの侵入空間経路が遮断され、図柄表示装置１００の表示面１０１を構成する液晶表示パネル１１０の電極等が電磁ノイズにより破壊されてしまうことを防止できる。１１１は図柄表示装置１００の制御基板である。
尚、透過性パネル４は表示面１０１の面積より大きいパネルを用い、図２に示すように、図柄表示装置１００のケーシング１０２の表示面側外周囲１０３に対して外方全方位に延長する張り出し部分４２ができるように飾り部５に取付けられる。これにより、仮に導電性接着剤６による封止が不完全で一部に隙間が生じていてこの隙間から電磁ノイズが遊技盤１の裏側に漏れたとしても、透過性パネル４と飾り部５との隙間から図柄表示装置１００の表示面１０１までの距離が張り出し部分４２により長くなるので、電磁ノイズが図柄表示装置１００の表示面１０１に到達する可能性を少なくできる。つまり、表示面１０１の面積とほぼ同じ面積で上記張り出し部分４２が生じないように飾り部５に取付けられる透過性パネルの場合と比べて、透過性パネル４と飾り部５との隙間から図柄表示装置１００の表示面１０１までの距離が張り出し部分４２を設けたことにより長くなるので、電磁ノイズが図柄表示装置１００の表示面１０１に到達する可能性を少なくでき、図柄表示装置１０１の表示面１０１を構成する液晶表示パネル１１０の電極等が電磁ノイズにより破壊される可能性を少なくできる。
【０００７】
実施形態２
図３，４に示すように、透過性パネル４の後面４３の端部から後方に延長して図柄表示装置１００のケーシング１０２の表示面側外周囲１０３を覆う筒状の延設部４４を設ければ、仮に導電性接着剤６による封止が不完全で一部に隙間が生じていてこの隙間から電磁ノイズが遊技盤１の裏側に漏れたとしても、透過性パネル４と飾り部５との隙間から図柄表示装置１００の表示面１０１までの距離が延設部４４により長くなるので、電磁ノイズが図柄表示装置１００の表示面１０１に到達する可能性を少なくでき、図柄表示装置１０１の表示面１０１を構成する液晶表示パネル１１０の電極等が電磁ノイズにより破壊される可能性を少なくできる。
【０００８】
実施形態３
実施形態１の張り出し部分４２と実施形態２の延設部４４の両方を備えた透過性パネルとすれば、透過性パネル４と飾り部５との隙間から図柄表示装置１００の表示面１０１までの距離をさらに長くでき、電磁ノイズが図柄表示装置１００の表示面１０１に到達する可能性をさらに少なくでき、図柄表示装置１０１の表示面１０１を構成する液晶表示パネルの電極等が電磁ノイズにより破壊される可能性をさらに少なくできる。
【０００９】
尚、透過性パネル４を止めねじ等で飾り部５に取付けて、かつ、上記導電性接着剤の代わりに導電性塗料を塗ってもよい。
また、透過性パネル４を導電性を有する合成樹脂等で成形したり、透過性パネル４の前面４１に透明な導電性塗料を塗れば、遊技盤１の遊技領域２側や遊技者側からの電磁ノイズを透過性パネル４で効率的に遮蔽あるいは吸収できるので好ましい。
また、透過性パネル４や導電性接着剤６を図外のアース線で遊技機の金属部にアースすればさらに好ましい。
【図面の簡単な説明】
【図１】本発明の実施形態１のパチンコ機の遊技盤に取付けられるセンター部品の近傍の縦断面図。
【図２】図１のＡ方向から見た図柄表示装置とセンター部品の透過性パネルとの関係を示す図である。
【図３】実施形態２のパチンコ機の遊技盤に取付けられるセンター部品の近傍の縦断面図。
【図４】図３のＡ方向から見た図柄表示装置とセンター部品の透過性パネルとの関係を示す図である。
【符号の説明】
１  遊技盤、２  遊技領域、３  センター部品、４  透過性パネル、
５  飾り部（センター部品本体）、４２  透過性パネルの張り出し部分、
４４  透過性パネルの延設部、１００  図柄表示装置、
１０１  図柄表示装置の表示面、１０２  図柄表示装置のケーシング、
１０３  図柄表示装置のケーシングの表示面側外周囲。
【図１】
2004201761.tif 000003
【図２】
2004201761.tif 000004
【図３】
2004201761.tif 000005
【図４】
2004201761.tif 000006